(57)【要約】【課題】デジタルビデオカメラ等の撮像装置において、冷却ファンを使用することなく、メカデッキ収納部内の部品を効果的に冷却する。【解決手段】撮像装置１は、装置筐体２にディスク状記録媒体収納部１１を設け、該ディスク状記録媒体収納部１１の底面１２からディスク状記録媒体収納部１１内にターンテーブル１３を突出させるとともに、上記底面１２よりも内側のメカデッキ収納部１５内に光学ピックアップ１４等が収納されている。上記ディスク状記録媒体収納部１１の底面１２には、ターンテーブル１３にチャッキングされたディスク状記録媒体３１の回転によりディスク状記録媒体収納部１１内で発生した空気流を上記メカデッキ収納部１５内に導入する空気流導入口２１を設けた。【選択図】図２
2008165851.tif 000002
【特許請求の範囲】
【請求項１】
装置筐体にディスク状記録媒体収納部を設け、該ディスク状記録媒体収納部の底面から上記ディスク状記録媒体収納部内にターンテーブルを突出させるとともに、上記底面よりも内側のメカデッキ収納部内に光学ピックアップを収納した撮像装置において、
上記ディスク状記録媒体収納部の底面には、上記ターンテーブルにチャッキングされたディスク状記録媒体の回転により上記ディスク状記録媒体収納部内で発生した空気流を上記メカデッキ収納部内に導入する空気流導入口を設けたことを特徴とする撮像装置。
【請求項２】
上記空気流導入口は、上記ターンテーブルにチャッキングされたディスク状記録媒体の外周縁よりも外側に配置されていることを特徴とする請求項１に記載の撮像装置。
【請求項３】
上記空気流の流れ方向に対して上記空気流導入口の上流側には、上記空気流を上記空気流導入口にガイドする第１のガイド面を設けたことを特徴とする請求項１に記載の撮像装置。
【請求項４】
上記第１のガイド面は、上記ディスク状記録媒体収納部の底面を上記空気流導入口に向けて下り勾配に傾斜させることにより形成されていることを特徴とする請求項３に記載の撮像装置。
【請求項５】
上記第１のガイド面は、上記空気流の流れ方向の上流側の幅が狭く、下流側に行くに従って幅が広くなる末広がり状に形成されていることにより形成されていることを特徴とする請求項３に記載の撮像装置。
【請求項６】
上記空気流導入口は、上記メカデッキ収納部内に配置されている発熱部品の近傍に設けられていることを特徴とする請求項１に記載の撮像装置。
【請求項７】
上記メカデッキ収納部内には、上記空気流導入口から導入された空気流を上記メカデッキ収納部内の発熱部品の位置に導くダクトが設けられていることを特徴とする請求項１に記載の撮像装置。
【発明の詳細な説明】
【技術分野】
【０００１】
本発明は、ディスク状記録媒体に対して情報信号の記録及び／又は再生を行う撮像装置に関し、特に装置に使用されている半導体素子やモータ等が発する熱を冷却ファン等を使用せずに効果的に冷却できるようにしたものである。
【背景技術】
【０００２】
ディスク状記録媒体を使用する撮像装置として、例えば図９に示すようなデジタルビデオカメラが知られている。上記デジタルビデオカメラ１０１は、装置筐体（外装ケース）１０２の一側部にディスク状記録媒体収納部１０３を備えていて、該ディスク状記録媒体収納部１０３の底面１０４から上記ディスク状記録媒体収納部１０３内にターンテーブル１０５を突出させるとともに、上記底面１０４よりも内側のメカデッキ収納部１０６内には光学ピックアップ１０７を搭載したメカデッキ（図示省略）が収納されている。上記メカデッキにはプリント基板や上記ターンテーブル１０５を回転させるモータ、光学ピックアップ１０７を駆動するモータ等が搭載されている。
【０００３】
そして、上記ターンテーブル１０５にディスク状記録媒体１１０をチャッキングして、該ディスク状記録媒体１１０を上記ディスク状記録媒体収納部１０３内で回転させ、上記光学ピックアップ１０７を上記ディスク状記録媒体１１０の半径方向に移動させながら、該ディスク状記録媒体１１０に対して情報信号の記録及び／又は再生を行う。
【０００４】
上述したように、上記底面プレート１０４よりも内側のメカデッキ収納部１０６内には半導体素子やモータ等の熱を発生させる多くの部品が収納されているため、これらの部品が発する熱によってメカデッキ収納部１０６内の温度が上昇してメカデッキ収納部１０６内に収納されている部品等に悪影響を及ぼす。
【０００５】
メカデッキ収納部１０６内の温度上昇を抑制するために、冷却ファンを用いて、外気をメカデッキ収納部１０６内に導入して、メカデッキ収納部１０６内の部品を冷却するビデオカメラが開発されている。（例えば、特許文献１参照）。
【特許文献１】特開２００５−６３５３４号公報
【発明の開示】
【発明が解決しようとする課題】
【０００６】
ところで、上記従来のデジタルビデオカメラは、冷却ファンを使用するために部品点数が増えコストの原因になっていた。また、冷却ファンを設置するためのスペースが必要となり、デジタルビデオカメラを小型化する上でのネックになっていた。
【０００７】
本発明の目的は、冷却ファンを使用することなく、メカデッキ収納部内の部品を効果的に冷却することのできるデジタルビデオカメラ等の撮像装置を提供することにある。
【課題を解決するための手段】
【０００８】
本発明は、装置筐体にディスク状記録媒体収納部を設け、該ディスク状記録媒体収納部の底面から上記ディスク状記録媒体収納部内にターンテーブルを突出させるとともに、上記底面よりも内側のメカデッキ収納部内に光学ピックアップを収納して記録及び／又は再生を行う撮像装置において、
上記ディスク状記録媒体収納部の底面に、上記ターンテーブルにチャッキングされたディスク状記録媒体の回転により上記ディスク状記録媒体収納部内で発生した空気流を上記メカデッキ収納部内に導入する空気流導入口を設けた。
【発明の効果】
【０００９】
ディスク状記録媒体の回転により上記ディスク状記録媒体収納部内で発生した空気流は、上記ディスク状記録媒体収納部の底面プレートに設けた空気流導入口からメカデッキ収納部内に導入されて、該メカデッキ収納部内に収容されている半導体素子や光学ピックアップの発熱部品を冷却する。
【発明を実施するための最良の形態】
【００１０】
図１は本発明の撮像装置の斜視図、図２はディスク状記録媒体収納部のカバーを開いた斜視図、図３はターンテーブルにディスク状記録媒体をチャッキングした斜視図、図４は一部を破断した斜視図、図５は空気流導入口部分の拡大斜視図、図６は図５のＡ−Ａ断面図である。
【００１１】
図１に示すように、本発明の撮像装置１は、デジタルビデオカメラとして構成されている。上記撮像装置１は、装置筐体２の前面側には撮像レンズ３が設けられ、上面側に内蔵マイク４とアクティブインターフェースシュー５が設けられ、一側面側に光学ビューファインダー６と液晶等の画面表示部７が設けられ、他端側には外面がグリップ面となる記録媒体収納部開閉カバー８とグリップベルト９が設けられている。
【００１２】
図２に示すように、上記開閉カバー９の内側には該カバー９によって開閉されるディスク状記録媒体収納部１１が設けられていて、該ディスク状記録媒体収納部１１の底面１２に臨んでターンテーブル１３と光学ピックアップ１４が設けられている。上記ターンテーブル１３は、上記底面１２から上記ディスク状記録媒体収納部１１内に突出している。また、上記光学ピックアップ１４は、上記ディスク状記録媒体収納部１１の底面１２の内側のメカデッキ収納部１５内に配置されている。上記光学ピックアップ１４は、上記ディスク状記録媒体収納部１１の底面１２に設けた切欠窓部１６を介して上記ディスク状記録媒体収納部１１側に臨んでいる。
【００１３】
上記ディスク状記録媒体収納部１１の底面１２には、ディスク状記録媒体の回転等により上記ディスク状記録媒体収納部１１内で発生した空気流を上記メカデッキ収納部１５内に導入する空気流導入口２１が設けられている。
【００１４】
図３は上記ターンテーブル１３にディスク状記録媒体３１をチャッキングした状態を示す。上記空気流導入口２１は、上記ターンテーブル１３にチャッキングされたディスク状記録媒体３１の外周縁３１ａよりも外側に設けられている。
【００１５】
図４は上記ディスク状記録媒体３１およびディスク状記録媒体収納部１１の底面１２の一部を破断して空気の流れを示した斜視図である。上記空気流導入口２１から上記メカデッキ収納部１５内に導入された空気流ａは、メカデッキ収納部１５内を循環し、メカデッキ収納部１５内に配置されているプリント基板４１に搭載されている半導体素子等の発熱部品４２或いはスピンドルモータ４３、光学ピックアップ１４の駆動モータ等を冷却する。
【００１６】
図５、図６に示すように、上記空気流導入口２１は、上記ディスク状記録媒体収納部１１の底面１２の上下面を貫通する長孔を設けることにより形成されている。
【００１７】
上記空気流導入口２１の上流側、即ち空気流ａが流れて来る方向には、上記空気流ａを円滑に上記空気流導入口２１に導き入れるための第１のガイド面２２が設けられている。上記第１のガイド面２２は、上記ディスク状記録媒体収納部１１の底面１２の肉厚が徐々に薄くなるように上記底面１２の上面側を下り勾配の傾斜面とすることにより形成されていて、上記ディスク状記録媒体収納部１１の底面１２上を流れる空気流ａを円滑に上記空気流導入口２１に導くようになっている。また、上記空気流導入口２１の下流側、即ち空気流ａが流れ去って行く方向には、上記空気流導入口２１から導入された空気流ａを円滑に上記メカデッキ収納部１５側に導き入れるための第２のガイド面２３が設けられている。上記第２のガイド面２３は、上記ディスク状記録媒体収納部１１の底面１２の肉厚が徐々に厚くなるように上記底面１２の下面側を下り勾配の傾斜面とすることにより形成されていて、上記空気流導入口２１から導入された空気流ａを円滑に上記メカデッキ収納部１５内に導入する。
【００１８】
図５に示すように、上記第１のガイド面２２は、上流側から下流側に行くに従って徐々に幅を増す所謂末広がり状に形成されていて、上記空気流導入口２１の側方からも空気流ａを巻き込むことにより上記空気流導入口２１に導入し易くしている。
【００１９】
図７，図８は上記第１のガイド面２２の他の実施例を示す。この実施例において、上記第１のガイド面２２は、下り勾配の傾斜面２２ａと、該傾斜面２２ａに連なる円弧面２２ｂと、該円弧面２２ｂに連なる非傾斜面２２ｃと、で構成されていて、上記円弧面２２ｂで乱流を発生させることにより、空気流の引き込み効果を向上させている。
【００２０】
次に、上記撮像装置１の作用について説明する。上記ターンテーブル１３にディスク状記録媒体３１をチャッキングして上記開閉カバー９を閉じて上記ターンテーブル１３およびディスク状記録媒体３１を回転させると、これらターンテーブル１３およびディスク状記録媒体３１の回転によって、ディスク状記録媒体収納部１１内に空気流ａが発生する。特に、上記ディスク状記録媒体３１の外周部は、内周部よりも回転速度（線速度）が速いので内周部よりも速い空気流が発生する。
【００２１】
上記ディスク状記録媒体３１の外周部で発生した高速の空気流は、上記第１のガイド面２２によって上記空気流導入口２１にガイドされ、更に上記第２のガイド面２３にガイドされて円滑にメカデッキ収納部１５内に導入されて、該メカデッキ収納部１５内に配置されている半導体素子等の発熱部品を冷却するのである。なお、上記実施例では空気流導入口２１を１つ設けた場合を示したが複数の空気流導入口２１を設けてもよい。また、上記空気流導入口２１は、半導体素子等の発熱部品の近傍に設けることにより発熱部品を効果的に冷却することができる。また、空気流導入口２１からダクトによって発熱部品の近傍に空気流を重点的に導く構成にしてもよい。また、実施例では、空気流導入口２１をディスク状記録媒体３１の外周縁よりも外側に形成した場合を示したが空気流導入口２１は、ディスク状記録媒体３１とオーバーラップする位置に形成してもよい。なお、上記実施例では、デジタルビデオカメラを例にとって説明したが、デジタルビデオカメラに限らず他の撮像装置であってもよい。さらに、撮像装置以外でもディスク状記録媒体を使用し、これを回転させながら記録及び／又は再生を行うディスク状記録媒体の記録及び／又は再生装置であってもよい。
【図面の簡単な説明】
【００２２】
【図１】本発明の撮像装置の斜視図。
【図２】記録媒体収納部開閉カバーを開いた斜視図。
【図３】ターンテーブルにディスク状記録媒体をチャッキングした斜視図。
【図４】ディスク状記録媒体や記録媒体収納部の一部を破断した斜視図。
【図５】空気流導入口部分の拡大斜視図。
【図６】図５のＡ−Ａ断面図。
【図７】空気流導入口の他の実施例の拡大斜視図。
【図８】図７のＡ−Ａ断面図。
【図９】従来例の斜視図。
【符号の説明】
【００２３】
１…撮像装置、８…記録媒体収納部開閉カバー、１１…ディスク状記録媒体収納部、１２…ディスク状記録媒体収納部の底面、１３…ターンテーブル、１４…光学ピックアップ、１５…メカデッキ収納部、２１…空気流導入口、２２…第１のガイド面、２３…第２のガイド面、３１…ディスク状記録媒体、３１ａ…ディスク状記録媒体の外周縁。
【図１】
2008165851.tif 000003
【図２】
2008165851.tif 000004
【図３】
2008165851.tif 000005
【図４】
2008165851.tif 000006
【図５】
2008165851.tif 000007
【図６】
2008165851.tif 000008
【図７】
2008165851.tif 000009
【図８】
2008165851.tif 000010
【図９】
2008165851.tif 000011